(57)【要約】      （修正有） 【課題】スポーツで身体を動かすときに体重移動が起こるが、その重心の移動を矯正するための、重心矯正サポーターを提供する。【解決手段】足指サック等を形成するシリコンゴム等の引っ張る力を利用し親指、人差し指に体重が真下にかかり重心が崩れないように矯正することを特徴とする重心矯正サポーター。このサポーターを使うことにより体重の移動を移動しにくくして体重が真下にくるようにして重心のバランスを崩さないようになる。【選択図】図１
0003172464.tif 000002
【実用新案登録請求の範囲】
【請求項１】
足指サック１１と、側面部１２と、底部１３、踵部１４を地下足袋のような形状に構成し、足指サック１１には親指と人差し指を一体で包み込むかたちで挿入できるようにし、足のサイズより小さめで形状したサポーターを引っ張る状態で踵部１４に装着してサポーターの引っ張る力で、親指と人差し指を一体として下方向に力が加わり、親指と人差し指に重心がかかるようにしたことを特徴とする重心矯正サポーター。
【請求項２】
足指サック２１と足指サック２１の両側の上から出ているバンド２３とバンド２３に取り付けられた面ファスナ２４から構成し、足の親指と人差し指を足指サック２１に挿入できるように構成し、足指サック２１の両側の上から出ているバンド２３を足の裏側に引っ張りクロスさせ足の甲の部分に引き上げクロスし足首に巻きつけて固定することで、親指と人差し指を一体として下方向に力が加わり、親指と人差し指に重心がかかるようにしたことを特徴とする重心矯正サポーター。
【請求項３】
足指サック３１と足底パット３２と、バンド３３からなり、足指サック３１は親指、人差し指より小さめに作成され、親指と人差し指を一体で包み込むかたちで挿入し、その足指サック３１は、足底パットの先で接続し固定する。バンド３３は、足底パットの真ん中あたりの両側で固定し、足指サック３１のゴムの力で親指と人差し指を一体として下方向に力が加わり、親指と人差し指に重心がかかるようにしたことを特徴とする重心矯正サポーター。
【請求項４】
足指サック４１と足裏を通る足底部４２、踵にかかる引っ掛け部４３からなり、足指サック４１の下部から、踵などの引っ掛け部４３にかけて、足裏を通って足底部が形成され、足のサイズより小さめで形状した足底部４２を引っ張る状態で踵に装着してサポーターの引っ張る力で、親指と人差し指を一体として下方向に力が加わり、親指と人差し指に重心がかかるようにしたことを特徴とする重心矯正サポーター。
【請求項５】
足指サックは、親指、人差し指のつま先を出して筒状に各指一本ずつを包むか、二本を一体として包み込むか、二本の指を一体として指先まで包み込むことを特徴とする。請求項１〜４のいずれかに記載の重心矯正サポーター。
【請求項６】
足指サックは、シリコンゴム、布、布ゴム、織物、ウレタン、革、合皮、等で構成したことを特徴とする請求項１から請求項５のいずれか１つに記載の重心矯正サポーター。
【考案の詳細な説明】
【技術分野】
【０００１】
本考案は、身体を動かすときに体重移動が起こるが、その重心の移動を矯正するための、重心矯正サポーターに関する。
【背景技術】
【０００２】
空手において、パンチを打つときに腰の回転と同時に、親指と人差し指にあった重心が、小指と薬指の方に移動する。移動するとパンチの力の方向が分散される。そのためパンチ力は軽減される。
空手を一例に挙げたが、重心の移動は全スポーツに言えることであり、動作を開始するとき重心が移動しがちであり、その為バランスを崩す事がある。
重心は体重が親指、人差し指が真下に踏ん張る様にかかっていればぶれる事はない。スポーツで体を動かすとき重心が、親指、人差し指から小指方向へ又は、踵方向へ、又は足の側面へ移動する。その為体重が移動して重心のバランスを崩してしまう。
【先行技術文献】
【特許文献】
【０００３】
【特許文献１】特開２００３−２９９６８４号公報
【考案の概要】
【考案が解決しようとする課題】
【０００４】
１）パンチを打つときに腰の回転と同時に、親指と人差し指にあった重心が、小指と薬指の方に移動する。移動するとパンチの力の方向が分散される。そのためパンチ力は軽減される。
２）踏み込みときに、足に力をいれると、親指と人差し指から小指、薬指に力が移動し、重心がずれ、頭の位置がずれ目測を誤る。
３）踏み込み時に、膝が伸びて、踵に体重がかかると、パンチの方向が前向きから上方向に力が抜け、パンチ力が軽減される。
４）重心の移動は全スポーツに言えることであり、動作を開始するとき重心が移動しがちであり、その為バランスを崩す事がある。つまり、親指と人差し指に重心がかからなくなる。
【課題を解決するための手段】
【０００５】
足指サック１１、側面部１２、底部１３、踵部１４からなり、これらは一体としてウレタンゴムで地下足袋のような形状に構成される。
底部は、側面などよりウレタンゴムの厚みをあつくしたり、堅目のウレタンゴムを使用したことを特徴とする重心矯正サポーター。
【０００６】
足指サック２１と足指サック２１の両側の上から出ているゴムバンド２３とゴムバンド２３に取り付けられた面ファスナ２４から構成し、足の親指と人差し指を足指サック２１に挿入して、足指サック２１の両側の上から出ているゴムバンド２３を足の裏側に引っ張りクロスさせ足の甲の部分に引き上げクロスし足首に巻きつけ面ファスナ２４で固定する特徴とする重心矯正サポーター。
【０００７】
足指サック３１と足底パット３２と、ゴムバンド３３からなり、足指サック３１は、足底パットの先で接続し固定し、ゴムバンド３３は、足底パットの真ん中あたりで両側で固定している。まず、足をゴムバンド３３を通して、親指と人差し指を足指サック３１に挿入することで、重心矯正サポーターを足に装着することを特徴とする重心矯正サポーター
【０００８】
足指サック４１と足底部４２と踵部４３が一体として構成されており、足指サック４１に親指、人差し指を挿入し踵部を引っ張り踵に装着して固定する特徴とする重心矯正サポーター。
【考案の効果】
【０００９】
親指と人差し指に体重をかけることにより、重心をいつも真下に保つことになり、重心のバランスを安定でき、パンチ力を増すことができる。又、親指と人差し指に体重をかけることにより、パンチのベクトルが分散されずまっすぐな方向へ最大のパワーを放出できる。
ウオーキングをする際、重心矯正サポーターを用いる事により、足を踏み出す際、親指、人差し指で踏み出し、着地の際も親指、人差し指で地面を踏みしめる為重心がぶれず背筋がまっすぐになり、腰への負担を軽減さす健康器具としても用いられる。
又、親指、人差し指に体重をかけて歩く事により腰の位置が安定し体のバランスが保たれスタイルがよくなる美容効果もある。
リハビリをする際も重心強制サポーターを着用することによって親指人差し指に体重をおきリハビリにも用いられる。
重心矯正サポーターを着用して練習をした後サポーターをはずしても親指と人差し指に重心矯正サポーターの力で感覚が数分間残りサポーターをはずしても親指と人差し指に体重がかかり重心を保つ事ができる。
この重心矯正サポーターは、スポーツの一流選手を育ってあげる事やスポーツをする人々の上達、人々の健康、美容、リハビリにも役にたつサポーターである。
【図面の簡単な説明】
【００１０】
【図１】重心矯正サポーターの構成（実施例１）（ａ）側面図  (b)平面図
【図２】重心矯正サポーターの構成（実施例２）（ａ）側面図  (b)平面図（ｃ）展開図
【図３】重心矯正サポーターの構成（実施例３）（ａ）側面図  (b)平面図
【図４】重心矯正サポーターの構成（実施例４）（ａ）表面図  (b)底面図
【考案を実施するための形態】
【００１１】
以下、本考案の４つの実施例を示す。
【実施例１】
【００１２】
図１に、重心矯正サポーターの構成（実施例１）を示す。（ａ）は側面図、(b)は平面図である。
重心矯正サポーターは、足指サック１１、側面部１２、底部１３、踵部１４を地下足袋のような形状で、親指、人差し指、足底部を覆う様に構成し、足指サック１１には親指と人差し指を一体で挿入し、重心矯正サポーターを足のサイズより小さめの大きさとし、重心矯正サポーターを引っ張る状態で踵に装着して重心矯正サポーターの引っ張る力で、親指と人差し指が一体として下方向に力が加わり、親指と人差し指に重心がかかるようにしたことを特徴とする重心矯正サポーター。
重心矯正サポーターをシリコンゴムで製作する場合は、底部は、側面などよりシリコンゴムの厚みを厚くしたり、堅目のシリコンゴムを使用してもよい。
又、バンド２３は足指サックの両側から出て２本のバンドをしようしても、２本を１本とし、その中央部を接着してもよい。
開口部１１から、足の親指と人差し指を足指サック１１に挿入して、矯正サポーターを広げて、足全体を入れて装着する。
【実施例２】
【００１３】
図２に、重心矯正サポーターの構成（実施例２）を示す。（ａ）は側面図、(b)は平面図、（c）展開図である。
（ｃ）に示すように、重心矯正サポーターは、足指サック２１と足指サック２１の両側の上から出ているバンド２３とバンド２３に取り付けられた面ファスナ２４から構成する。足の親指と人差し指を足指サック２１に挿入して、足指サック２１の両側の上から出ているバンド２３を足の裏側に引っ張りクロスさせ足の甲の部分に引き上げクロスし足首に巻きつけて固定することで、親指と人差し指を一体として下方向に力が加わり、親指と人差し指に重心がかかるようにしている。
まず、足の親指と人差し指を足指サック２１に挿入して、足指サック２１の両側の上から出ているバンド２３を足の裏側に引っ張りクロスさせ足の甲の部分に引き上げクロスし足首に巻きつけ面ファスナ２４で固定する。
【実施例３】
【００１４】
図３は、重心矯正サポーターの構成（実施例３）である、（ａ）は側面図、(b)は平面図、である。
足指サック３１と足底パット３２と、バンド３３からなり、足指サック３１には、親指と人差し指を挿入し、その足指サック３１は、足底パットの先で接続し固定し、バンド３３は、足底パットの真ん中あたりの両側で固定する。足パットは、固めのシリコン等を使用して足指サックの付加が逃げないようにする。足指サック３１は親指、人差し指より小さめに作成して足指サック３１を引っ張り上げ親指と人差し指を挿入し一体として下方向に力を加え、親指と人差し指に重心がかかるようにしたことを特徴とする重心矯正サポーターである。
まず、足をバンド３３を通して、親指と人差し指を足指サック３１に挿入することで、重心矯正サポーターを足に装着する。
【００１５】
図４は、重心矯正サポーターの構成（実施４）である。（ａ）は表面図（ｂ）は裏面図である。
重心矯正サポーターは、足指サック４１と足裏を通る足底部４２、踵にかかる引っ掛け部４３からなり、足指サック４１の下部から、踵などの引っ掛け部４３にかけて、足裏を通って足底部が形成される。
足指サック４１には親指と人差し指を一体で挿入し、サポーターを足のサイズより小さめの大きさで形状しサポーターを引っ張る状態で踵に装着してサポーターの引っ張る力で、親指と人差し指が一体として下方向に力を加え、親指と人差し指に重心がかかるようにしたことを特徴とする重心矯正サポーターである。
足指サック４１と足裏を通る足底部４２、及び、足底部４２と引っ掛け部４３は、別々に縫製により接続してもよいし、一体に形成してもよい。
例えば、靴下の甲の無い形状でゴム糸を靴下の形状に編み込みこんでもよい。
重心矯正サポーターを装着するときは、最初に、足指サックを親指人差し指にはめ込み残りの部分を引っ張り踵に装着する。
【００１６】
上記では、足指サック３１と足底パットなどの材料をシリコンゴムとして記載しているが、ゴム、布、布ゴム、ウレタンスポンジなどを使用して実現してもよい。
又、足指サックは親指、人差し指をいったいとして包んでもよいし、親指、人差し指を指先のでる筒状に形成してもよい。
【産業上の利用可能性】
【００１７】
スポーツする時を筆頭に人々が日常生活していくうえで重要な重心のバランスを矯正する重心矯正サポーターを提供する。
【符号の説明】
【００１８】
１    重心矯正サポーター
１１    足指サック
１２    側面部
１３    底部
１４    踵部
１５    開口部
２    重心矯正サポーター
２１    足指サック
２２    接着部
２３    バンド
２４    面ファスナ
３    重心矯正サポーター
３１    足指サック
３２    足底パット
３３    バンド
４    重心矯正サポーター
４１    足指サック
４２    足底部
４３    引っ掛け部
【図１】
0003172464.tif 000003
【図２】
0003172464.tif 000004
【図３】
0003172464.tif 000005
【図４】
0003172464.tif 000006
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
足指サック１１と、側面部１２と、底部１３と、踵部１４とを地下足袋のような形状に構成した重心矯正サポーターであって、足指サック１１には親指と人差し指を一体で包み込むかたちで挿入できるようにし、足のサイズより小さめで形状した重心矯正サポーターを引っ張る状態で踵部１４に装着して、重心矯正サポーターの引っ張る力で親指と人差し指を一体として下方向に力が加わり、親指と人差し指に重心がかかるようにしたことを特徴とする重心矯正サポーター。
【請求項２】
足指サック２１と足指サック２１の両側の上から出ているバンド２３と、バンド２３に取り付けられた面ファスナ２４とから構成した重心矯正サポーターであって、足の親指と人差し指を足指サック２１に挿入できるようにし、足指サック２１の両側の上から出ているバンド２３を足の裏側に引っ張ってクロスさせ、足の甲の部分に引き上げてクロスし足首に巻きつけて固定することで、親指と人差し指を一体として下方向に力が加わり、親指と人差し指に重心がかかるようにしたことを特徴とする重心矯正サポーター。
【請求項３】
足指サック３１と、足底パット３２と、バンド３３とから構成した重心矯正サポーターであって、足指サック３１は親指、人差し指より小さめに作成され、親指と人差し指を一体で包み込むかたちで挿入し、その足指サック３１は、足底パットの先で接続し固定し、バンド３３は、足底パットの真ん中あたりの両側で固定し、足指サック３１のゴムの力で親指と人差し指を一体として下方向に力が加わり、親指と人差し指に重心がかかるようにしたことを特徴とする重心矯正サポーター。
【請求項４】
足指サック４１と足裏を通る足底部４２と、踵にかかる引っ掛け部４３とからなる重心矯正サポーターであって、足指サック４１の下部から、踵にかかる引っ掛け部４３にかけて、足裏を通って足底部４２が形成され、足のサイズより小さめで形状した重心矯正サポーターを引っ張る状態で踵に装着して、重心矯正サポーターの引っ張る力で、親指と人差し指を一体として下方向に力が加わり、親指と人差し指に重心がかかるようにしたことを特徴とする重心矯正サポーター。
【請求項５】
足指サックは、親指、人差し指のつま先を出して筒状に各指一本ずつを包むか、二本を一体として包み込むか、二本の指を一体として指先まで包み込むことを特徴とする請求項１から４のいずれか１つに記載の重心矯正サポーター。
【請求項６】
足指サックは、シリコンゴム、布、布ゴム、織物、ウレタン、革、合皮、等で構成したことを特徴とする請求項１から請求項５のいずれか１つに記載の重心矯正サポーター。